【手続補正書】
【提出日】平成16年3月12日(2004.3.12)
【手続補正１】
【補正対象書類名】明細書
【補正対象項目名】全文
【補正方法】変更
【補正の内容】
【発明の名称】携帯電話用ページングアンプ
【特許請求の範囲】
【請求項１】携帯電話機のイヤホン・マイク端子に携帯電話用ページングアンプの入出力端子を接続し、該携帯電話用ページングアンプの出力端子に外部スピーカを接続し、かつ該携帯電話用ページングアンプにマイクとスピーカを有するハンドセットを備え、該ハンドセットが所定位置にあることを検出する検出手段を設け、上記携帯電話機の着信音を上記イヤホン・マイク端子より取り出し上記携帯電話用ページングアンプで増幅して上記外部スピーカより出力し、上記ハンドセットを所定位置より操作することによって上記検出手段により着信音を止めることを特徴とする携帯電話用ページングアンプ。
【請求項２】携帯電話機のイヤホン・マイク端子に、マイクとスピーカを有するハンドセットを備える携帯電話用ページングアンプの入出力端子を接続し、上記ハンドセットのマイクに入力した音声は携帯電話用ページングアンプを介して携帯電話機に入力され、携帯電話機より出力される音声信号は携帯電話用ページングアンプを介してハンドセットのスピーカに出力されることを特徴とする携帯電話用ページングアンプ。
【請求項３】携帯電話機のイヤホン・マイク端子と外部スピーカを接続する回路中に、ハンドセットが所定位置より操作されたとき動作するオンオフスイッチを挿入すると共に、上記オンオフスイッチに連動するスイッチを携帯電話機の制御端子に接続して通話回線を接続又は切断することを特徴とする携帯電話用ページングアンプ。
【請求項４】携帯電話機のイヤホン・マイクジャックにプラグを挿入して、携帯電話機のイヤホン端子と外部スピーカを携帯電話用ページングアンプを介して接続するとともにハンドセットのスピーカに接続し、かつ携帯電話機のマイク端子と上記ハンドセットのマイクを接続することを特徴とする携帯電話用ページングアンプ。
【請求項５】前記携帯電話用ページングアンプのマイク端子と上記ハンドセットのマイクの間に放送スイッチを挿入し、放送スイッチがオフ状態のときは携帯電話機のマイク端子とハンドセットのマイクを接続し、オン状態のときはハンドセットのマイクと上記外部スピーカを携帯電話用ページングアンプを介して接続することを特徴とする請求項２記載の携帯電話用ページングアンプ。
【請求項６】第１の携帯電話機と第２の携帯電話機に共通使用される携帯電話用ページングアンプを備え、上記第１の携帯電話機用として第１のイヤホンプラグを用意するとともに、上記第２の携帯電話機用として第２のイヤホンプラグを用意し、上記第１の携帯電話機又は第２の携帯電話機を第１のイヤホンプラグ又は第２のイヤホンプラグを介して上記携帯電話用ページングアンプに接続することを特徴とする携帯電話用ページングアンプ。
【請求項７】上記第１の携帯電話機は４極イヤホン・マイクジャックを備え、上記第２の携帯電話機は３極イヤホン・マイクジャックを備え、上記第１のイヤホンプラグは上記第１の携帯電話機の４極イヤホン・マイクジャックに挿入接続される４極プラグを備え、上記第２のイヤホンプラグは上記第２の携帯電話機の３極イヤホン・マイクジャックに挿入接続される３極プラグを備えることを特徴とする請求項６記載の携帯電話用ページングアンプ。
【請求項８】上記４極プラグの第１端子は携帯電話用ページングアンプのマイク端子に接続され、４極プラグの第２端子は携帯電話用ページングアンプのイヤホン端子に接続され、４極プラグの第３端子は携帯電話用ページングアンプのアース端子に接続され、４極プラグの第４端子は携帯電話用ページングアンプの制御端子に接続され、上記３極プラグの第１端子は携帯電話用ページングアンプのマイク端子に接続され、３極プラグの第２端子は携帯電話用ページングアンプのイヤホン端子に接続され、３極プラグの第３端子は携帯電話用ページングアンプのアース端子に接続され、３極プラグに携帯電話用ページングアンプの制御端子間を短絡するジャンパー線を備えることを特徴とする請求項７記載の携帯電話用ページングアンプ。
【０００１】
【発明の詳細な説明】
【発明の属する技術分野】
本発明は、携帯電話機の着信音を拡声することができる携帯電話用ページングアンプに関し、またハンドセットを介して携帯電話機による通話を可能にする携帯電話用ページングアンプに関し、さらにハンドセットから呼び出し放送を行なうことができる携帯電話用ページングアンプに関し、更に携帯電話機と携帯電話用ページングアンプとの接続構造に関するものである。
【０００２】
【従来の技術】
携帯電話機は使用者が常に携帯していて着信があったとき、あるいは送信をするとき直ちに使用できて非常に便利である。しかし、船上のように海水、川水や雨水がかかるおそれがあったり、また作業の邪魔になるため携帯電話機を船内に置き携帯できないことがある。このような場合には携帯電話機の着信音が小さくて、あるいは周囲音が大きすぎて着信音が聞き取れないことがある。このような不便を解消するために、図６に示すように携帯電話機５０の受話口５１の付近にマイク５２を設置し、このマイク出力をアンプ５４で増幅して外部スピーカ５５に出力する携帯電話用コールスピーカ（商品名）、あるいは図７に示すように携帯電話機５０のイヤホン・マイクジャック５６にプラグ５７を差し込み、このプラグの出力をアンプ５４により増幅して外部スピーカ５５に出力する携帯電話用コールスピーカ（商品名）を本件出願人が製造販売している。携帯電話用コールスピーカにより携帯電話機の着信音が拡声されて出力されるので着信音を聞き逃すことがなくなる。
【０００３】
【発明が解決しようとする課題】
上記携帯電話用コールスピーカ(商品名)により携帯電話機の着信音が拡声されて出力されるので着信音を聞き逃すことがなくなる。しかし、着信音を聞いた後、携帯電話機のあるところに行き、マイクを外しあるいはプラグを外して携帯電話機の着信ボタンを操作しなければ、携帯電話機が使用できないため、操作が多く通話を開始するまでに手間どり会話を行なうことができないこともあった。また、携帯電話機のイヤホン・マイク端子を利用して携帯電話用ページングアンプを接続する場合、携帯電話機のイヤホン・マイク端子は４極のものと３極のものとがあり、したがって携帯電話用ページングアンプも４極用のものと３極用のものとを用意する必要がある。
【０００４】
【課題を解決するための手段】
本発明の請求項１記載の携帯電話用ページングアンプは、携帯電話機のイヤホン・マイク端子に携帯電話用ページングアンプの入出力端子を接続し、該携帯電話用ページングアンプの出力端子に外部スピーカを接続し、かつ該携帯電話用ページングアンプにマイクとスピーカを有するハンドセットを備え、該ハンドセットが所定位置にあることを検出する手段を設け、上記携帯電話機の着信音を上記イヤホン・マイク端子より取り出し上記携帯電話用ページングアンプで増幅して上記外部スピーカより出力し、上記ハンドセットを所定位置より操作することによって上記検出手段により着信音を止めることを特徴とする。ここでハンドセットはフックにかけておくような所定位置に限定される必要はなく、例えばハンドセットを所定の位置においておけば、所定の位置にあることをセンサーが検知するような構成であってもよい。請求項１の発明は、ハンドセットが所定位置にあるとき、携帯電話用ページングアンプが携帯電話機の着信音を増幅して外部スピーカにより出力するので、着信音が拡声され聞き逃すことがない。そしてハンドセットを操作すれば着信音が止まるので便利である。この請求項において、ハンドセットの操作により着信音の停止からハンドセットによる通話状態への切り替えを自動的に行なえるようにするのが望ましい。また、着信音の音量は携帯電話用ページングアンプの前段に接続した音量調整スイッチ又はボリュームにより調整するのが望ましい。
【０００５】
本発明の請求項２の携帯電話用ページングアンプは、携帯電話機のイヤホン・マイク端子に、マイクとスピーカを有するハンドセットを備える携帯電話用ページングアンプの入出力端子を接続し、上記ハンドセットのマイクに入力した音声は携帯電話用ページングアンプを介して携帯電話機に入力され、携帯電話機より出力される音声信号は携帯電話用ページングアンプを介してハンドセットのスピーカに出力されることを特徴とする。請求項２の発明は、携帯電話機と携帯電話用ページングアンプを接続することにより、ハンドセットを用いて通話を行なうことができる。この請求項では前記請求項１の操作で着信音を止めた後、何ら操作する必要なく引き続き携帯電話機により通話を行なうことができ、携帯電話機を便利に使用することができる。ハンドセットの音量調整は携帯電話機のボリュームで行なうことができる。
【０００６】
本発明の請求項３の携帯電話用ページングアンプは、携帯電話機のイヤホン・マイク端子と外部スピーカを接続する回路中に、ハンドセットが所定位置より操作されたとき動作するオンオフスイッチを挿入すると共に、上記オンオフスイッチに連動するスイッチを携帯電話機の制御端子に接続して通話回線を接続又は切断することを特徴とする。請求項３の発明は、ハンドセットの操作だけで着信音の停止からハンドセットによる通話状態への自動切り替え接続及び回線の切断を実現し、使用を便利にする。上記請求項１〜３において、ハンドセットはいわゆる電話機のハンドセットのようにマイクとスピーカを一体的に備えマイクとスピーカの間の部分を持つもの、あるいはヘッドセット等のマイクとスピーカを備えたもの、マイクと本体に内蔵するスピーカの組み合わせのようなものでもよく、その形状、形態はどのようなものであっても本発明に使用することができる。マイクとスピーカが一体化されていない場合はマイク又はスピーカのいずれかの位置を検出する構成とすればよい。
【０００７】
請求項４の携帯電話用ページングアンプは、携帯電話機のイヤホン・マイクジャックにプラグを挿入して、携帯電話機のイヤホン端子と外部スピーカを携帯電話用ページングアンプを介して接続するとともにハンドセットのスピーカに接続し、かつ携帯電話機のマイク端子と上記ハンドセットのマイクを接続したことを特徴とする。請求項４の発明は、携帯電話機のイヤホン・マイクジャックにプラグを挿入して携帯電話用ページングアンプと接続することができるので、確実安価にして容易に接続でき、携帯電話機を改造することなく本発明の携帯電話用ページングアンプを利用することができる。
【０００８】
請求項５の携帯電話用ページングアンプは、前記携帯電話用ページングアンプのマイク端子と上記ハンドセットのマイクの間に放送スイッチを挿入し、放送スイッチがオフ状態のときは携帯電話機のマイク端子とハンドセットのマイクを接続し、オン状態のときはハンドセットのマイクと上記外部スピーカを携帯電話用ページングアンプを介して接続することを特徴とする。請求項５の発明は、放送スイッチを挿入するだけでハンドセットを利用して拡声放送を通話中でも通話中でなくても行なうことができる。
【０００９】
請求項６の携帯電話用ページングアンプは、第１の携帯電話機と第２の携帯電話機に共通使用される携帯電話用ページングアンプを備え、上記第１の携帯電話機用として第１のイヤホンプラグを用意するとともに、上記第２の携帯電話機用として第２のイヤホンプラグを用意し、上記第１の携帯電話機又は第２の携帯電話機を第１のイヤホンプラグ又は第２のイヤホンプラグを介して上記携帯電話用ページングアンプに接続することを特徴とする。請求項６の発明は、２種類の携帯電話機に対して２種類のイヤホンプラグを用意して、どちらかのイヤホンプラグを用いて携帯電話用ページングアンプに共通に接続することができ、共通部品を多くすることができる。
【００１０】
請求項７の携帯電話用ページングアンプは、上記第１の携帯電話機は４極イヤホン・マイクジャックを備え、上記第２の携帯電話機は３極イヤホン・マイクジャックを備え、上記第１のイヤホンプラグは上記第１の携帯電話機の４極イヤホン・マイクジャックに挿入接続される４極プラグを備え、上記第２のイヤホンプラグは上記第２の携帯電話機の３極イヤホン・マイクジャックに挿入接続される３極プラグを備えることを特徴とする。請求項７の発明は、現存する４極イヤホン・マイクジャック携帯電話機と、３極イヤホン・マイクジャック携帯電話機に有効に対応することができる。
【００１１】
請求項８の携帯電話用ページングアンプは、上記４極プラグの第１端子が携帯電話用ページングアンプのマイク端子に接続され、４極プラグの第２端子が携帯電話用ページングアンプのイヤホン端子に接続され、４極プラグの第３端子が携帯電話用ページングアンプのアース端子に接続され、４極プラグの第４端子が携帯電話用ページングアンプの制御端子に接続され、上記３極プラグの第１端子が携帯電話用ページングアンプのマイク端子に接続され、３極プラグの第２端子が携帯電話用ページングアンプのイヤホン端子に接続され、３極プラグの第３端子が携帯電話用ページングアンプのアース端子に接続され、３極プラグに携帯電話用ページングアンプの制御端子間を短絡するジャンパー線を備えることを特徴とする。請求項８の発明は、２種類の携帯電話機と共通使用される携帯電話用ページングアンプとを、４極イヤホンプラグと３極イヤホンプラグを用いて少ない配線で接続することができる。
【００１２】
【発明の実施の形態】
本発明の携帯電話用ページングアンプは、携帯電話機のイヤホン・マイク端子に携帯電話用ページングアンプを接続して携帯電話用ページングアンプに備えられたハンドセットおよびこれに接続された外部スピーカにより、着信音の拡声、ハンドセットによる通話、ハンドセットからの放送を可能にするものである。また、携帯電話機と携帯電話用ページングアンプの接続を確実安価にして容易にするものである。
【００１３】
（実施例１）図１は、ＮＴＴドコモ（会社名）の携帯電話機ムーバＰ２０１（商品名）等に本発明の携帯電話用ページングアンプを接続した例を示す。携帯電話機１のイヤホン・マイクジャック２と携帯電話用ページングアンプ３のコード４をプラグ８により接続する。コード４はイヤホン線５、マイク線６、制御線７、グランド線９の４本線を備え、携帯電話機のイヤホン端子１１と、マイク端子１２と、制御端子１３と、グランド端子１４を、携帯電話用ページングアンプのイヤホン入力端子１５と、マイク出力端子１６と、制御端子１７と、アース端子１８にそれぞれ接続する。
【００１４】
携帯電話用ページングアンプのイヤホン入力端子１５は、フックスイッチ２０を介して着信音ボリューム２１に接続され、さらにアンプ２２の入力に接続される。アンプ２２の出力は出力端子２３を経て外部スピーカ２４に接続され、着信音及び放送音を拡声する。上記フックスイッチ２０は、ハンドセット２５が所定位置にあるときオン状態にあり、ハンドセット２５が操作され所定位置から外されたときオフ状態になる。すなわち、ハンドセット２５が携帯電話用ページングアンプのフックにかけられているときオン状態であり、持ち上げられたときオフ状態になる。また、イヤホン入力端子１５はアンプ２６を介してハンドセット２５のスピーカに接続され携帯電話機の出力音声を増幅して聞くことができる。
【００１５】
マイク出力端子１６は、放送スイッチ２７のオフ側端子２７ａを介してハンドセット２５のマイクに接続され、ハンドセット２５のマイクに入力された音声信号を携帯電話機１に送ることができる。放送スイッチ２７のオン側端子２７ｂは放送音量ボリューム２８に接続され、さらに、プリアンプ２９を経て前記アンプ２２の入力に加えられる。したがって、放送スイッチ２７がオン状態のとき、ハンドセットに加えられた音声信号はプリアンプ２９、アンプ２２で増幅され、外部スピーカ２４により拡声放送される。制御端子１７は、前記フックスイッチ２０と連動するスイッチ３０がタイマー３２を介して携帯電話用ページングアンプのアース３１に接続される。アース端子１８は、携帯電話用ページングアンプのアース３１に接続される。
【００１６】
本発明の実施例１は、以上のように構成されるので、ハンドセット２５が所定位置、携帯電話用ページングアンプのフックにかけられている状態にあり、放送スイッチ２７がオフ状態のとき、すなわち、通常状態のとき、携帯電話機１に電話がかかってくると、着信音は携帯電話機のイヤホン端子１１からイヤホン線５を介して携帯電話用ページングアンプ３のイヤホン入力端子１５に入力される。イヤホン入力端子１５はフックスイッチ２０を介して着信音ボリューム２１に接続されているので音量調整され、さらにアンプ２２で増幅され、スピーカ端子２３を経て外部スピーカ２４から着信音が図３（ａ）に示すように拡声放送される。
【００１７】
そして、ハンドセット２５を携帯電話用ページングアンプのフックから外すと、フックスイッチ２０がオフになり、イヤホン入力端子１５からアンプ２２への信号経路が遮断され、着信音の拡声放送が止まる。同時にハンドセット２５がフックから外されるとき、フックスイッチ２０の切り替え時に連動するスイッチ３０が瞬間的に一時オン状態になり、その後オフ状態となる。このスイッチ３０の動作がタイマー３２を介して制御端子１７、制御線７、制御端子１３より携帯電話機に加えられるので電話の通話回線を接続する。通話回線の接続により、携帯電話機のイヤホン端子１１とマイク端子１２が、携帯電話用ページングアンプのイヤホン入力端子１５とマイク出力端子１６にそれぞれ接続され、イヤホン入力端子１５は増幅器２６を介してハンドセット２５のスピーカに接続され、マイク出力端子１６は放送スイッチ２７を介してハンドセット２５のマイクに接続されるので、前記した着信音の停止から通話状態への切り替えが自動的に行なわれ、ハンドセット２５を使用して図３（ｂ）に示すように携帯電話機より通話をすることができる。通話状態のときアンプ２６によって携帯電話機の出力音声を増幅しているので、携帯電話機の出力が小さい場合、周囲音が大きい場合にも聞き取ることができる。ハンドセットの出力音声が大きすぎるときは、携帯電話機の音声ボリュームによって調整することができる。
【００１８】
通話が終了したときは、ハンドセット２５を所定位置に置く（フックにかける）と、その動作によりスイッチ３０が瞬間的に一時オン状態になり、その後オフ状態となる。このスイッチ３０の動作がタイマー３２を介して制御端子１７、制御線７、制御端子１３より携帯電話機に加えられるので電話の通話回線を切断する。
【００１９】
さらに、この実施例は、放送スイッチ２７をオン側端子２７ｂに切り替えると、ハンドセット２５の送話口に入力された音声は放送音量ボリューム２８、プリアンプ２９を経てアンプ２２で増幅された後、外部スピーカ２４より拡声放送することができる。拡声放送の終了は放送スイッチ２７をオフ状態に戻すことにより行なう。この拡声放送は電話の通話中でも放送スイッチ２７をオン側端子２７ｂに切り替えて行なうことが出来、このとき携帯電話機のマイク入力端子とは回路が切り離されているので、通話相手に放送内容を聞かれないですむ。
【００２０】
電話をかける場合、すなわち送信をする場合はハンドセットを持ち上げ携帯電話機の送信ボタン及びダイヤル操作によって通常通り行なうことができる。あるいはプラグ８を抜いて携帯電話機単独で使用して送受話を行なうことができる。
【００２１】
（実施例２）図２は、セルラー（会社名）の携帯電話機に本発明の携帯電話用ページングアンプを接続した例を示す。携帯電話機１ａのイヤホン・マイクジャック２ａと携帯電話用ページングアンプ３ａのコード４ａをプラグ８ａにより接続する。コード４ａはイヤホン線５ａ、マイク線６ａ、グランド線９ａの３本線よりなり、携帯電話機のイヤホン兼制御端子１１ａと、マイク端子１２ａと、グランド端子１４ａを、携帯電話用ページングアンプのイヤホン兼制御入力端子１５ａと、マイク出力端子１６ａと、アース端子１８ａにそれぞれ接続する。
【００２２】
携帯電話用ページングアンプのイヤホン兼制御入力端子１５ａは、フックスイッチ２０ａを介して着信音ボリューム２１に接続され、さらにアンプ２２の入力に接続される。アンプ２２の出力は出力端子２３を経て外部スピーカ２４に接続され、着信音及び放送音を拡声する。上記フックスイッチ２０ａは、ハンドセット２５が所定位置にあるときオン状態にあり、所定位置から外されたときオフ状態になる。すなわち、ハンドセット２５が携帯電話用ページングアンプのフックにかけられているときオン状態であり、持ち上げられたときオフ状態になる。また、イヤホン兼制御入力端子１５ａはアンプ２６を介してハンドセット２５のスピーカ側に接続され携帯電話機の出力音声を増幅して聞くことができる。
【００２３】
マイク出力端子１６ａは、放送スイッチ２７のオフ側端子２７ａを介してハンドセット２５のマイクに接続され、ハンドセット２５のマイクに入力された音声信号を携帯電話機１ａに送ることができる。放送スイッチ２７のオン側端子２７ｂは放送音量ボリューム２８及びプリアンプ２９を経て前記アンプ２２の入力に加えられる。したがって、放送スイッチ２７がオン状態のとき、ハンドセットに加えられた音声信号はプリアンプ２９、アンプ２２で増幅され、外部スピーカ２４により拡声放送される。前記フックスイッチ２０ａと連動するスイッチ３０ａがイヤホン兼制御入力端子１５ａに接続され携帯電話用ページングアンプのアース３１に接続される。アース端子１８ａは、携帯電話用ページングアンプのアース３１に接続される。
【００２４】
本発明の実施例２は、以上のように構成されるので、ハンドセット２５が所定位置、携帯電話用ページングアンプのフックにかけられている状態にあり、放送スイッチ２７がオフ状態のとき、すなわち、通常状態のとき、携帯電話機１ａに電話がかかってくると、着信音は携帯電話機のイヤホン兼制御端子１１ａからイヤホン線５ａを介して携帯電話用ページングアンプ３ａのイヤホン兼制御入力端子１５ａに入力される。イヤホン兼制御入力端子１５ａはフックスイッチ２０ａを介して着信音ボリューム２１に接続されているので音量調整され、さらにアンプ２２で増幅され、スピーカ端子２３を経て外部スピーカ２４から着信音が図３（ａ）に示すように拡声放送される。
【００２５】
そして、ハンドセット２５を携帯電話用ページングアンプのフックから外すと、フックスイッチ２０ａがオフになり、イヤホン兼制御入力端子１５ａからアンプ２２への信号経路が遮断され、着信音が止まる。ハンドセット２５をフックから外すとき、フックスイッチ２０ａと連動するスイッチ３０ａが瞬間的に一時オン状態になり、その後オフ状態となるので、この動作がイヤホン兼制御入力端子１５ａ、イヤホン線５ａ、イヤホン兼制御端子１１ａより携帯電話機１ａに加えられて電話の通話回線を接続する。通話回線の接続により、携帯電話機のイヤホン兼制御端子１１ａとマイク端子１２ａが、携帯電話用ページングアンプのイヤホン兼制御入力端子１５ａとマイク出力端子１６ａにそれぞれ接続され、イヤホン兼制御入力端子１５ａは増幅器２６を介してハンドセット２５のスピーカ側に接続され、マイク出力端子１６ａは放送スイッチ２７を介してハンドセット２５のマイク側に接続されるので、ハンドセット２５を使用して図３（ｂ）に示すように携帯電話機より通話をすることができる。なお、この実施例では携帯電話機の発信ボタンを押すことにより通話を開始することができる。通話状態のときアンプ２６によって携帯電話機の出力音声を増幅しているので、携帯電話機の出力が小さい場合、周囲音が大きい場合にも聞き取ることができる。ハンドセットの出力音声が大きすぎるときは、携帯電話機の音声ボリュームによって調整することができる。
【００２６】
通話が終了したときは、ハンドセット２５を所定位置に置く（フックにかける）と、その動作によりスイッチ３０ａが瞬間的に一時オン状態になり、その後オフ状態となるので、この動作が携帯電話機１ａに加えられて電話の通話回線を切断する。
【００２７】
さらに、この実施例は、放送スイッチ２７をオン側端子２７ｂに切り替えると、ハンドセット２５の送話口より入力された音声はアンプ２２で増幅された後、外部スピーカ２４より拡声放送することができる。拡声放送の終了は放送スイッチ２７をオフ状態に戻すことにより行なう。この拡声放送は電話の通話中でも放送スイッチをオン側端子２７ｂに切り替えて行なうことが出来、このとき携帯電話機のマイク入力端子とは回路が切り離されているので、通話相手に放送内容を聞かれないですむ。
【００２８】
電話をかける場合、すなわち送信をする場合はハンドセットを持ち上げ携帯電話機の送信ボタン及びダイヤル操作によって通常通り行なうことができる。あるいはプラグ８を抜いて携帯電話機単独で使用して送受信を行なうことができる。
【００２９】
（実施例３）上記実施例１及び２のより好ましい実施例を示すもので、携帯電話機として「リモコン機能あり」の機種が使用され、図３に示すように、携帯電話用ページングアンプ３を収納する筐体４１は、たとえば船室内（キャビン）のような室内の壁等に縦方向に取り付けられ、筐体４１のハンドセット収納部４２にハンドセット２５が引っかけられる構造になっている。携帯電話機１又は１ａと携帯電話用ページングアンプ３又は３ａは、携帯電話機のイヤホン・マイクジャック２又は２ａにプラグ８又は８ａを挿入して接続される。携帯電話用ページングアンプ３又は３ａには接続線４３によって船の上方位置のように室外或いは上記筐体の設置場所から離れた場所に設置されている外部スピーカ２４が接続される。
【００３０】
そしてタイマー３２及びスイッチ３０または３０ａはフックスイッチ２０又は２０ａがオン又はオフ動作をしたとき、約１秒間のパルスを発生して、制御端子１７又はイヤホン兼制御入力端子１５ａを介して携帯電話機１又は１ａにパルスを供給し、携帯電話機のリモコン機能を作動させ、電話回線の接続又は切断を行う。
【００３１】
したがって、携帯電話機１又は１ａに電話がかかってくると、着信音は携帯電話用ページングアンプ３又は３ａに入力され、アンプ２２で増幅されて図３（ａ）に示すように外部スピーカ２４から着信音が拡声放送される。拡声放送された着信音を聞いてハンドセット２５を携帯電話用ページングアンプの筐体４１から外すと、フックスイッチ２０又は２０ａがオフになり、イヤホン入力端子１５又はイヤホン兼制御入力端子１５ａからアンプ２２への信号経路が遮断され、着信音が止まる。同時にハンドセット２５をフックから外すと、フックスイッチ２０又は２０ａに連動するスイッチ３０によってタイマー３２又はスイッチ３０ａがオンになる。スイッチ３０がオンになると、タイマー３２が約１秒間のパルスを発生する。或いはスイッチ３０ａがオンになると、約１秒間のパルスを発生する。
【００３２】
このパルスが携帯電話機に供給されると、携帯電話機１又は１ａはリモコン機能を作動させ、電話の通話回線を接続する。通話回線の接続により、携帯電話機の音声信号は携帯電話用ページングアンプを介してハンドセット２５と接続され、図３（ｂ）に示すようにハンドセット２５を使用して携帯電話機より通話をすることができる。なお、この実施例では携帯電話機の発信ボタンを押すことによっても通話を開始することができる。
【００３３】
通話が終了したときは、ハンドセット２５を所定位置に置く（フックにかける）と、その動作によりスイッチ３０又は３０ａが一時オン状態になり、その後オフ状態になる。スイッチ３０又は３０ａのオン・オフ動作により約１秒間のパルスを発生する。このパルスが携帯電話機に供給されると、携帯電話機１又は１ａはリモコン機能を作動させ、電話の通話回線を切断する。
【００３４】
さらに、この実施例は、放送スイッチ２７をオン側端子２７ｂに切り替えると、ハンドセット２５の送話口より入力された音声はアンプ２２で増幅された後、外部スピーカ２４より拡声放送することができる。拡声放送の終了は放送スイッチ２７をオフ状態に戻すことにより行なう。この拡声放送は電話の通話中でも放送スイッチをオン側端子２７ｂに切り替えて行なうことが出来、このとき携帯電話機のマイク入力端子とは回路が切り離されているので、通話相手に放送内容を聞かれないですむ。
【００３５】
電話をかける場合、すなわち送信をする場合はハンドセットを持ち上げ携帯電話機の送信ボタン及びダイヤル操作によって通常通り行なうことができる。あるいはプラグ８を抜いて携帯電話機単独で使用して送受信を行なうことができる。
【００３６】
（実施例４）上記実施例１及び２は、携帯電話機のイヤホン・マイクジャックの形式（３線式と４線式）に合わせて携帯電話用ページングアンプのプラグ及び回路基板を変えていた。即ち実施例１では携帯電話用ページングアンプにイヤホン入力端子、マイク出力端子、制御端子、アース端子を備え４端子プラグを用いていた。実施例２では携帯電話用ページングアンプにイヤホン兼制御入力端子、マイク出力端子、アース端子を備え３端子プラグを用いていた。この実施例４では携帯電話機のイヤホン・マイクジャック形式に合わせて携帯電話用ページングアンプのプラグ及び回路基板を変えるのでなく、プラグだけを携帯電話機のイヤホン・マイクジャックの形式に対応して用意し、携帯電話用ページングアンプの回路基板は共通使用できるようにするものである。
【００３７】
図４はこの実施例の構成を示す回路図で、携帯電話用ページングアンプの回路基板６０は実施例１及び２の携帯電話機に共通使用される。これに対し４線式イヤホン・マイクジャックに対応する４極イヤホンプラグ８０と、３線式イヤホン・マイクジャックに対応する３極イヤホンプラグ９０を用意する。回路基板６０において、端子ａ０と端子ｂ０とでイヤホン入力端子６１を構成し、端子ｃ０と端子ｄ０とでマイク出力端子６２を構成し、端子ｅ０と端子ｆ０とで制御端子６３を構成する。ここで端子ｂ０、ｄ０は電気接続され、アースがループを形成しないように回路基板側のアースラインはできるかぎり端子ｂ０に集中させ一点アースされる。これら端子ａ０からｆ０は回路基板６０の端部に取り付けた６極モジュラージャック５９に接続される。
【００３８】
イヤホン入力端子６１の端子ａ０は、結合電解コンデンサ６４、抵抗６５を介してトランス６６に接続される。この後、フックスイッチ２０、着信音ボリューム２１、アンプ２２、外部スピーカ２４に接続される構成は、実施例１及び２で示した構成と同じである。
【００３９】
マイク出力端子６２の端子ｃ０は、抵抗６７、ツエナーダイオード６８、結合電解コンデンサ６９を介してトランス７０に接続される。トランス７０の他方の端子はアースのため端子ｂ０に接続される。トランス７０以降は実施例１及び２と同様に、放送スイッチ２７のオフ側端子２７ａを介してハンドセットのマイクに接続される。またオン側端子２７ｂは放送音量ボリューム２８及びプリアンプ２９を経て前記アンプ２２の入力に加えられる。この実施例ではプリアンプ２９とアンプ２２の間にスイッチ３３を挿入し、放送をしていないときに雑音が出力されるのを防止している。したがって、放送スイッチ２７がオン状態のとき、ハンドセットに加えられた音声信号はプリアンプ２９、アンプ２２で増幅され、外部スピーカ２４により拡声放送される。
【００４０】
制御端子６３の端子ｅ０は、フォトカプラ７１の受光トランジスタ７２のコレクタに接続され、エミッタはアースのため端子ｂ０に接続される。端子ｆ０は抵抗７３を介して端子ａ０に接続される。フォトカプラ７１の発光ダイオード７４以降は実施例３で説明したように、フックスイッチ２０に連動するスイッチ３０がオン又はオフするときに約１秒間のパルスを発生するパルス発生器４４に接続される。パルス発生器４４は第１のパルス発生回路４５と第２のパルス発生回路４６を備え、フックスイッチ２０に連動するスイッチ３０ａと３０ｂ、ＯＲ回路４７を介して比較器８に接続され、その出力が発光ダイオード７４に接続される。
【００４１】
パルス発生器４４のさらに詳細は、図５に示す通りで、第１のパルス発生器４５と第２のパルス発生器４６は、電解コンデンサ４５ａ、４６ａによって構成される。スイッチ３０ａはフックオン検出スイッチであり、スイッチ３０ｂはフックオフ検出スイッチであるので、スイッチ３０ａのオン端子は抵抗１０キロオーム程度の低抵抗を介して電源ラインに接続され、オフ端子は次段のＯＲ回路４７を構成するダイオード４７ａに接続される。またスイッチ３０ｂのオフ端子は抵抗１０キロオーム程度の低抵抗を介して電源ラインに接続され、オン端子は次段のＯＲ回路４７を構成するダイオード４７ｂに接続される。ＯＲ回路４７は２つのダイオード４７ａ、４７ｂによって構成され、比較器４８はオペアンプで構成され、プラス端子に抵抗分割で設定された基準電圧が加えられ、マイナス端子にＯＲ回路４７の出力が加えられる。
【００４２】
図５の回路においてフックスイッチ２０がオンからオフに変化するとき、フックスイッチ２０に連動するスイッチ３０ａと３０ｂがオンからオフに変化し、このため電解コンデンサ４５ａではオフ端子を介してダイオード４７ａから２つの抵抗を経る放電回路により放電が行われる。一方電解コンデンサ４６ａではオフ端子を介して抵抗を経て電源ラインに接続され、充電が行われる。この電解コンデンサ４５ａの放電と４６ａの充電による電位変化が比較器４８の基準電圧と比較され比較器４８の出力に矩形パルスを発生する。この実施例では矩形パルスのパルス間隔が１秒間になるよう基準電圧が設定される。
【００４３】
またフックスイッチ２０がオフからオンに変化するとき、フックスイッチ２０に連動するスイッチ３０ａと３０ｂもオフからオンに変化し、このため電解コンデンサ４５ａではオン端子を介して抵抗を経て電源ラインに接続され、充電が行われる。一方電解コンデンサ４６ａではオン端子を介してダイオード４７ｂから２つの抵抗を経る放電回路により放電が行われる。この電解コンデンサ４５ａと４５ｂの電位変化が比較器４８の基準電圧と比較され矩形パルスを発生する。この実施例では矩形パルスのパルス間隔が１秒間になるよう設定される。このようにしてパルス発生器４４はフックスイッチ２０のオンからオフ、オフからオンの変化に対応して１秒間のパルスを発生する。
【００４４】
４線式イヤホン・マイクジャック対応の４極イヤホンプラグ８０は、４端子を備え、先端の第１端子８１は端子ｃ１に接続され、次の第２端子８２は端子ａ１に接続される。第３の端子８３は端子ｂ１に接続されると共に第２端子８２と端子ａ１を接続する接続線８５のシールド線８６に接続される。第４端子８４は端子ｅ１に接続される。図から分かるように端子ｄ１とｆ１は空端子とされる。端子ａ１からｆ１は６極モジュラープラグ８９により構成されている。
【００４５】
３線式イヤホン・マイクジャック対応の３極イヤホンプラグ９０は、３端子を備え、先端の第１端子９１は端子ｃ２に接続され、次の第２端子９２は端子ａ２に接続される。第３の端子９３は端子ｂ２及び端子ｄ２に接続されると共に、第２端子９２と端子ａ２を接続する接続線９４のシールド線９５及び第１端子９１と端子ｃ２を接続する接続線９６のシールド線９７に接続される。そして端子ｅ２とｆ２はジャンパー線９８により短絡される。端子ａ２からｆ２も６極モジュラープラグ９９により構成されている。
【００４６】
したがって、実施例１に示した携帯電話機に携帯電話用ページングアンプの回路基板６０を接続する場合は、４極イヤホンプラグ８０を用いて、４極イヤホンプラグ８０側の６極モジュラープラグ８９を携帯電話機用ページングアンプの６極モジュラージャック５９に差し込む。６極モジュラープラグ８９と６極モジュラージャック５９の接続により、端子ａ０とａ１、端子ｂ０とｂ１、端子ｃ０とｃ１、端子ｄ０とｄ１、端子ｅ０とｅ１、端子ｆ０とｆ１がそれぞれ接続される。そして４極プラグ８８を携帯電話機のイヤホン・マイクジャック２に挿入して携帯電話機と携帯電話用ページングアンプを接続する。着信音の拡声放送、通話回線の接続、通話回線の切断、ハンドセットからの拡声放送、電話の送信における動作は、パルス発生器４４の詳細な動作説明を除いて実施例１及び３と同様であるので、説明を省略する。
【００４７】
また、実施例２に示した携帯電話機に携帯電話用ページングアンプの回路基板６０を接続する場合は、３極イヤホンプラグ９０を用いて、３極イヤホンプラグ９０側の６極モジュラープラグ９９を携帯電話機用ページングアンプの６極モジュラージャック５９に差し込む。そして３極プラグ１００を携帯電話機のイヤホン・マイクジャック２ａに挿入して携帯電話機と携帯電話用ページングアンプを接続する。６極モジュラープラグ９９と６極モジュラージャック５９の接続により、端子ａ０とａ２、端子ｂ０とｂ２、端子ｃ０とｃ２、端子ｄ０とｄ２、端子ｅ０とｅ２、端子ｆ０とｆ２がそれぞれ接続される。着信音の拡声放送、通話回線の接続、通話回線の切断、ハンドセットからの拡声放送、電話の送信における動作は実施例２及び３と同様であるので、説明を省略する。
【００４８】
この実施例では携帯電話機は４極イヤホン・マイク端子と３極イヤホン・マイク端子の２種類について説明したが、本発明は極数、種類はこの２種類に限定されるものではない。また実施例は６極モジュラージャックと６極モジュラープラグを使用して携帯電話機のイヤホンプラグと携帯電話用ページングアンプの回路基板を接続したが、ジャックとプラグの形式はモジュラーに限定されるものでなく、他の任意の形式のジャック・プラグを使用することが出来る。実施例１〜４は、携帯電話機のイヤホン・マイクジャックに、携帯電話用ページングアンプのプラグを挿入して接続しているが、携帯電話機のイヤホン・マイク端子と携帯電話用ページングアンプの入出力端子を直接接続する構造であってもよい。
【００４９】
【発明の効果】
本発明は、ハンドセットが所定位置にあるとき、携帯電話用ページングアンプが携帯電話機の着信音を増幅して外部スピーカより出力するので、着信音が拡声され聞き逃すことがない。そしてハンドセットを操作すれば着信音が止まり、ハンドセットによる通話が可能になる。また本発明は、携帯電話機と携帯電話用ページングアンプを接続しておくことにより、ハンドセットを用いて通話を行なうことができ、前記着信音が止まった後、何ら操作する必要なく引き続き携帯電話機により通話を行なうことができ、携帯電話機を便利に使用することができる。さらに本発明は、携帯電話用ページングアンプの放送スイッチをオンに操作すると、ハンドセットに入力された音声信号を増幅して外部スピーカより放送することができる。また本発明は、携帯電話機のイヤホン・マイクジャックにプラグを挿入して携帯電話用ページングアンプと接続することができるので、携帯電話機を改造することなく、本発明を利用することができる。その上本発明は、放送スイッチを挿入するだけでハンドセットを利用して通話中でも通話中でなくても拡声放送を行なうことができる。
【図面の簡単な説明】
【図１】実施例１に示す携帯電話用ページングアンプの回路図を示す。
【図２】実施例２に示す携帯電話用ページングアンプの回路図を示す。
【図３】実施例１、２、３の使用状態を説明する図を示す。
【図４】実施例４の３極イヤホンプラグと４極イヤホンプラグのコネクタ接続を示す図である。
【図５】実施例４の一部詳細回路図を示す。
【図６】従来例１の携帯電話用コールスピーカの概略を説明する図を示す。
【図７】従来例２の携帯電話用コールスピーカの概略を説明する図を示す。
【符号の説明】
１ 携帯電話機
２ イヤホン・マイクジャック
３ 携帯電話用ページングアンプ
４ コード
５ イヤホン線
６ マイク線
７ 制御線
８ プラグ
９ グランド線
１１ イヤホン端子
１２ マイク端子
１３ 制御端子
１４ グランド端子
１５ イヤホン入力端子
１６ マイク出力端子
１７ 制御端子
１８ アース端子
２０ フックスイッチ
２１ 着信音ボリューム
２２ アンプ
２３ 出力端子
２４ 外部スピーカ
２５ ハンドセット
２６ アンプ
２７ 放送スイッチ
２７ａ オフ側端子
２７ｂ オン側端子
２８ 放送音量ボリューム
２９ プリアンプ
３０ スイッチ
３１ アース
６０ 回路基板
６１ イヤホン端子
６２ マイク端子
６３ 制御端子
５９ ６極モジュラージャック
８８ ４極プラグ
８９ ６極モジュラープラグ
９９ ６極モジュラープラグ
１００ ３極プラグ